(57)【特許請求の範囲】
【請求項１】
記録媒体の記録及び／又は再生が行われる記録再生部が構成される本体と、
上記記録再生部を閉塞するように上記本体に回動可能に取り付けられ、回動操作により当該記録再生部を開放する蓋体と、
ガイド孔が設けられると共に上記本体に取り付けられる弾性部材と、
上記ガイド孔に係合されると共に、上記蓋体側に設けられ、上記ガイド孔の係合位置と係合しない外側位置とを移動可能にされた係合片と、
記録媒体を駆動させる駆動モータとを備え、
上記係合片は、
上記蓋体が上記記録再生部を閉塞した状態において上記ガイド孔の係合位置に位置し、
上記蓋体が上記記録再生部を開放する方向に回動されると、上記弾性部材の弾性変位によって上記ガイド孔から外側位置へクリック感を与えながら移動し、
上記弾性部材側縁に突き当てられた状態で上記蓋体を開状態に保持する
ことを特徴とする記録及び／又は再生装置。
【請求項２】
上記装置には、記録媒体を駆動させる駆動モータが配設され、
上記弾性部材には、上記駆動モータの取付け位置を規制する位置規制部が設けられ、
上記弾性部材は、１つのネジによって上記本体に固定され、
上記駆動モータの取付け位置を規制するとともに固定時の回動を規制する位置規制部を備えることを特徴とする請求項１記載の記録及び／又は再生装置。
【請求項３】
上記駆動モータが取り付けられるホルダを備え、
上記位置規制部は、上記ホルダを挟持する一対の位置規制片を有することを特徴とする請求項２記載の記録及び／又は再生装置。
【発明の詳細な説明】
【０００１】
【発明の属する技術分野】
本発明は、テープカセットやディスクカートリッジ等を記録媒体として、例えば音声信号、映像信号等の情報信号の記録又は再生を行う記録及び／又は再生装置に関する。
【０００２】
【従来の技術】
テープカセット、ディスクカートリッジ等の記録媒体の記録及び／又は再生装置には、これら記録媒体の外形形状と略同じくされる携帯性に優れた小型の記録及び／又は再生装置がある。例えば、テープカセットを記録媒体として用いるこの種の記録及び／又は再生装置は、テープカセットが収納されて、記録及び／又は再生が行われる記録再生部が構成される機器本体と、この機器本体に回動自在に支持される蓋体とを備える。本体には、磁気ヘッド等の記録再生機構や磁気テープを走行させるテープ走行機構等が設けられる。そして、記録再生部には、テープカセットのテープリールのリール軸穴に嵌合される一対のリール軸穴が配設されている。一方、蓋体は、装置の外筐体を構成する蓋本体と、テープカセットを保持するカセットホルダとを備える。このような記録及び／又は再生装置は、蓋体が開蓋された状態でテープカセットがカセットホルダに装填され、記録再生部を閉塞する方向に蓋体が回動されることで、テープカセットが記録再生部に装着される。
【０００３】
ところで、このような記録及び／又は再生装置には、記録再生部へのテープカセットの装填操作或いは記録再生部からのテープカセットの取り出し操作の際、蓋体を開蓋された状態に保持させ操作性の向上を図るため保持機構が備えられている。
【０００４】
この蓋体を開蓋された状態に保持する保持機構２００は、図１０に示すように、蓋体と本体を連結する連結アーム２０１を備える。この連結アーム２０１は、一方の端部がテープカセットの一方の側縁を保持するカセットホルダ２０２の保持部を構成する立上がり壁２０３に回動自在に支持される。連結アーム２０１の他方の端部は、本体側のメカシャーシのガイド壁２０４に設けられたカイド孔２０５に支持部２０６を介して回動自在に取り付けられる。また、この連結アーム２０１の他方の先端部には、突起部２０７が設けられている。一方、ガイド壁２０４に設けられたガイド孔２０５は、支持部２０６がカセットホルダ２０２の開閉操作に伴い図中矢印Ｙ1、Ｙ2方向にスライド可能となるように長穴状に形成されている。また、ガイド孔２０５には、その下側奥方向に、山状に設けられメカシャーシ２０８に対して平行に弾性変位可能な弾性部２０９が設けられている。この弾性部２０９には、連結アーム２０１の突起部２０７が係止され、蓋体が開蓋された状態を保持する。
【０００５】
記録及び／又は再生装置は、蓋体が押され記録再生部を閉塞する方向に回動操作されると、支持部２０６が矢印Ｙ1方向にスライドされる。この際、弾性部２０９は、突起部２０７に押されて弾性変位され、支持部２０６をＹ1方向に通過させ、さらにスライドさせる。一方、蓋体が記録再生部を閉塞した状態から開蓋された状態に回動操作された場合、支持部２０６は、矢印Ｙ2方向にスライドされる。そして、突起部２０７は、弾性部２０９を押圧し弾性変位させ、この弾性部２０９を通過する。そして、突起部２０７は、弾性部２０９に係止される。このように、蓋体は、記録再生部を開蓋した状態に保持する。このように保持機構２００は、蓋体が記録再生部を開蓋された状態に保持することで、テープカセットの着脱操作の操作性の向上を図っている。これと共に、保持機構２００は、突起部２０７が弾性部２０９を通過する際に生じるクリック感を利用者に認識させることで、蓋体が記録再生部を開蓋した状態になったか又はこの状態が解除されたかを利用者に認識させている。
【０００６】
【発明が解決しようとする課題】
ところで、このような保持機構２００の連結アーム２０１は、カセットホルダ２０２にカシメにより回動自在な状態で取り付けられる。そのため、連結アーム２０１のカセットホルダ２０２への取付け作業が繁雑となっていた。これに伴い、製造コスト高となっていた。また、保持機構２００は、その構造が複雑であり、記録及び／又は再生装置全体の小型化に妨げとなっていた。また、複雑な保持機構２００は、各部品の寸法の寸法精度が厳しく要求されることになり、装置の品質維持が困難であった。
【０００７】
そこで、本発明は、上述のような保持機構の構造の簡素化を図ると共に装置全体の小型化に寄与しうる記録及び／又は再生装置を提供することを目的とする。
【０００８】
【課題を解決するための手段】
本発明に係る記録及び／又は再生装置は、上述のような課題を解決すべく、記録媒体の記録及び／又は再生が行われる記録再生部が構成される本体と、記録再生部を閉塞するように本体に回動可能に取り付けられ、回動操作により当該記録再生部を開放する蓋体と、ガイド孔が設けられると共に本体に取り付けられる弾性部材と、ガイド孔に係合されると共に、蓋体側に設けられ、ガイド孔の係合位置と係合しない外側位置とを移動可能にされた係合片と、記録媒体を駆動させる駆動モータとを備える。
【０００９】
以上のように構成された記録及び／又は再生装置は、蓋体が記録再生部を閉塞した状態において、係合部が弾性部材のガイド孔に係合された状態にある。蓋体が開方向に回動操作されると、係合片は、ガイド孔の側縁に突き当てられ、さらに回動操作されると、係合片は、弾性部材を弾性変位させ、クリック感を与えながらガイド孔の外まで移動される。この状態で、係合片は、弾性部材の側縁に突き当てられ、蓋体を開状態に保持する。
【００１０】
【発明の実施の形態】
以下、本発明に係る記録及び／又は再生装置について、本発明が適用された携帯型の記録及び／又は再生装置について、図面を用いて詳細に説明する。この記録及び／又は再生装置は、音声信号等の情報信号が記録されるテープカセットを記録媒体として用いる。
【００１１】
この記録及び／又は再生装置に用いられるテープカセット１は、図１に示すように、合成樹脂材料により形成される長方形の主面部を有するカセット本体２内に磁気テープ３が巻回された一対のテープリール４、５が回転自在に収納されて構成される。そして、カセット本体２には、その前面側にテープリール４、５から繰り出されている磁気テープ３が延在されている。具体的には、カセット本体２の前面側には、磁気ヘッドが進入する記録再生用開口部６と、ピンチローラが進入するピンチローラ用開口部７、８が設けられ、磁気テープ３を外方に臨ませている。
【００１２】
また、カセット本体２には、その主面部にテープリール４、５に設けられたテープリール駆動機構が嵌合されるリール軸穴９、１０を外方に臨ませるリール軸挿通穴１１、１２が設けられている。また、カセット本体２には、その主面部であって前面側に凸部１３が略台形形状に形成されている。そして、この凸部１３には、カセット本体２の前面側に沿って位置決めピン嵌合される位置決め穴１４、１５が設けられ、位置決め穴１４、１５の外側には、キャプスタン軸が進入されるキャプスタン用軸穴１６、１７が設けられている。さらには、カセット本体２には、その主面部の背面側に表示シール１８が貼り付けられている。この表示シール１８には、例えば磁気テープ３に記録されている音声データのタイトル等が記されることにより、利用者が磁気テープ３に記録されている音声データの内容が分かるようにされている。
【００１３】
このようなテープカセット１が使用される記録及び／又は再生装置２０は、図２乃至図４に示すように、テープカセット１の長辺方向を挿入端としてテープカセット１が収納されこのテープカセット１に収納された磁気テープ３の記録及び／又は再生が行われる記録再生部が構成される本体２２と、記録再生部を閉塞するように本体２２に対して回動可能に取り付けられる蓋体２３とから構成される。
【００１４】
本体２２は、図２に示すように、その外装筐体が例えばＡＢＳ樹脂等の機械的強度を有する合成樹脂材料により形成され、全体としてテープカセット１の外形形状と略同じくする直方体形を有して構成される。本体２２には、蓋体２３が設けられない側の主面に操作部２５が設けられている。この操作部２５は、複数の押しボタン等により構成され、磁気テープ３に記録されている情報信号を再生する操作を行うための再生ボタン２６と、再生動作を停止させるための操作を行う停止ボタン２７と、磁気テープ３を早送りする操作を行うための早送りボタン２８と、磁気テープ３を巻き戻す操作を行うための巻き戻しボタン２９と、装置の動作メニューを選択するためのメニュー選択ボタン３０と、タイマをセットするためのセットボタン３１と、ラジオ受信機の受信帯域の切り換えを行うバンド選択ボタン３２とを備える。さらに、操作部２５には、液晶表示パネルよりなる表示部３３が設けられている。この表示部３３には、記録及び／又は再生装置２０の現在の動作状況等が表示される。また、本体２２の側縁部には、２つのチューニングボタン３４と、チューニングにより選択された周波数を装置に備えられたメモリに記録させるための入力ボタン３５が備えられる。これら操作ボタンは、押圧操作されると、本体２２内に配設されたプリント配線基板に設けられたダイヤフラムスイッチを押圧するように構成されている。
【００１５】
本体２２の側面部には、操作部２５の各種ボタンの機能をホールドさせるホールドスイッチ３６と、装置より出力される音量を調節する音量調節つまみ３７と、イヤホンが接続されるイヤホンジャック３８とが設けられている。また、本体２２の前面側には、蓋体２３が記録再生部を閉塞した状態に保持するロック機構が蓋体が閉状態にロックされた状態を解除する操作を行うためのロック解除つまみ３９が備えられている。
【００１６】
一方、蓋体２３には、図３に示すように、その中央領域に長穴状の覗き窓部４１が設けられている。この覗き窓部４１からは、本体２２の記録再生部を覗くことができ、例えば利用者がテープリール４又は５に巻かれている磁気テープ３の残量を目視することができる。
【００１７】
このような記録及び／又は再生装置２０においては、図４に示すように、蓋体２３が開方向に回動操作された状態で、テープカセット１の長辺方向からテープカセット１の挿脱操作が行われる。この際、蓋体２３は、蓋体２３が開方向に回動操作された状態で保持される。そして、テープカセット１は、複数の開口部６、７、８が設けられない側、すなわち背面側の長辺方向を挿入端として挿入される。記録及び／又は再生装置２０は、テープカセット１が挿入され、蓋体２３が閉方向に回動操作されると、テープカセット１が記録再生部に装着され、記録及び／又は再生が可能な状態にされる。
【００１８】
ところで、記録及び／又は再生装置２０は、以上のように本体２２と蓋体２３とから構成される。図５に示すように、本体２２は、一方の主面にテープカセット１が装填され磁気テープ３の記録及び／又は再生が行われる記録再生部５２が構成されると共に他方の面に磁気テープ３を走行させるための磁気テープ３の走行機構が設けられるメカシャーシ５１と、オーディオ回路等の電気回路が組み込まれた第１のプリント配線基板５３と、ラジオ受信回路等の電気回路が組み込まれた第２のプリント配線基盤５４と、メカシャーシ５１の周囲を覆うように取り付けられ外装面の一部を構成する外周フレーム５５と、本体２２の周面を覆い外装面を構成する外筐体５６とを備える。
【００１９】
メカシャーシ５１の一方の主面に構成される記録再生部５２は、図４及び図５に示すように、テープカセット１が位置決めされて装着され、テープカセット１の磁気テープ３に記録されている情報信号を再生できるように構成されている。すなわち、記録再生部５２には、テープカセット１のリール軸穴９、１０に嵌合されるリール軸５８、５９と、位置決め穴１４、１５に嵌合される位置決めピン６１、６２と、キャプスタン用軸穴１６、１７に嵌合されるキャプスタン軸６３、６４と、磁気ヘッド６５と、ピンチローラ用開口部７、８に進入するピンチローラと６６、６７が備えられる。
【００２０】
このような記録再生部５２は、テープカセット１が装着されると、リール軸穴９、１０にリール軸５８、５９が嵌合されるテープリール４、５が回転駆動されると共に、位置決めピン６１、６２が位置決め穴１４、１５に嵌合される。すると、キャプスタン軸６３、６４は、キャプスタン用軸穴１６、１７を介して磁気テープ３の裏面側に進入される。そして、ピンチローラ６６、６７がピンチローラ用開口部７、８に進入し、キャプスタン軸６３、６４と共働して磁気テープ３を狭持する。磁気ヘッド６５は、これと共に記録再生用開口部６より進入し、磁気テープ３に対して情報信号の記録又は再生を行う。
【００２１】
メカシャーシ５１の他方の主面には、リール軸５８、５９、キャプスタン軸６３、６４及びピンチローラ６６、６７を動作させ、磁気テープ３を走行させるための磁気テープ走行機構７０が設けられている。この走行機構７０は、図６に示すように、駆動モータ７１を駆動源とし、キャプスタン軸６３、６４に対応して配設される第１のフライホイール７２と第２のフライホイール７３とを備える。また、メカシャーシ５１のコーナ部には、回転ローラ７４が配設されている。そして駆動モータ７１と第１及び第２のフライホイール７２、７３と回転ローラ７４とは、無端ベルト７５により接続される。
【００２２】
これら第１及び第２のフライホイール７２、７３は、キャプスタン軸６３、６４に取り付けられている。駆動モータ７１と第１及び第２のフライホイール７２、７３とは、メカシャーシ５１のコーナ部に設けられた回転ローラ７４を介して図６に示すように無端ベルト７５により接続されている。第１のフライホイール７２と第２のフライホイール７３とは、このように接続されることにより、駆動モータ７１が駆動された際、常に反対方向に回転するようにされている。そして、第２のフライホイール７３は、駆動伝達機構７７を介して駆動モータ７１の駆動力をリール軸５８、５９伝達する。
【００２３】
この駆動伝達機構７７は、図６に示すように、第２のフライホイールと同軸に取り付けられたフライホイールギヤ７８と、このフライホイールギヤ７８に噛合される第１の中間ギヤ７９と、この第１の中間ギヤ７９に噛合される大径のギヤ部８０ａと小径のギヤ部８０ｂとを有する第２の中間ギヤ８０と、第２の中間ギヤ８０の小径のギヤ部８０ｂと噛合される首振りギヤ８１と、この首振りギヤ８１と選択的に噛合される第３の中間ギヤ８２と、この第３の中間ギヤ８２に噛合される第４の中間ギヤ８４と、この第４の中間ギヤ８４に噛合されると共に一方のリール軸と同軸のリール軸ギヤ８５とを備える。また、駆動伝達機構７７は、首振りギヤ８１が第３の中間ギヤ８２を選択しない場合に首振りギヤ８１と噛合される第５の中間ギヤ８６と、この第５の中間ギヤ８６に噛合されると共に他方のリール軸と同軸のリール軸ギヤ８７とを備える。
【００２４】
このような走行機構７０は、駆動モータ７１が駆動されると、無端ベルト７５を介してキャプスタン軸６３、６４が回転される。リール軸ギヤ８１、８７の何れか一つは、駆動伝達機構７７を介して回転され、リール軸５８、５９を回転させる。これに合わせて、磁気ヘッド６５は、図示しないが駆動モータ７１からの駆動力を伝達するリンク機構を介して、テープカセット１の記録再生用開口部６からカセット本体２に進入する記録再生位置と、カセット本体２の外の待機位置とに亘って移動される。また、ピンチローラ６６、６７は、その何れか一つが磁気テープ３の走行方向に合わせてピンチローラ用開口部７、８に進入し、キャプスタン軸６３、６４と共働して磁気テープ３を狭持する。
【００２５】
第１のプリント配線基板５３は、図５に示すように、メカシャーシ５１に構成される走行機構７０上に配設され、上記オーディオ回路の他駆動モータ７１と電源部に接続される電源回路等が組み込まれている。第１のプリント配線基板５３は、メカシャーシ５１に設けられる電池収納部や駆動モータ７１が設けられることに伴う場所的な制約から複数の切欠部が設けられている。
【００２６】
第２のプリント配線基板５４は、第１のプリント配線基板５３上に電気的に接続されて配設される。第２のプリント配線基板５４には、上記ラジオ受信回路が組み込まれる他、バーアンテナ及び上記操作部２５の複数の押しボタンに対応して複数のダイヤフラムスイッチ、液晶表示パネル等が配設されている。バーアンテナやラジオ受信回路が組み込まれた第２のプリント配線基板５４は、金属材料よりなる部品が多く使用されたメカシャーシ５１と第１のプリント配線基板５３を介した離れた場所に配設されることからラジオ受信特性の劣化が防止されている。また、第２のプリント配線基板５４は、第１のプリント配線基板５３の上側に配設されることから駆動モータ７１や電池収納部等の場所的な制約を受けることがなくメカシャーシ５１の主面の面積とほぼ等しくする面積を有したプリント配線基板を用いることができる。
【００２７】
外周フレーム５５は、合成樹脂材料よりなり、一の主面には、ロック解除つまみ３９が設けられている。また、外筐体５６は、合成樹脂材料よりなり、その主面部に、上記操作部２５が設けられている。そして、外周フレーム５５は、メカシャーシ５１の周囲に取り付けられ、外筐体５４は、第２のプリント配線基板５４に設けられたダイヤフラムスイッチに操作部２５が対応するように、メカシャーシ５１及び第１、第２のプリント配線基板５３、５４を覆うように取り付けられる。
【００２８】
蓋体２３は、図５に示すように、外装表面の一部を構成する蓋本体９１と、テープカセット１を保持すると共にメカシャーシ５１に対して回動自在に取り付けられるカセットホルダ９２とから構成される。
【００２９】
蓋本体９１は、合成樹脂材料よりなり、記録再生部５２を覆うに十分な大きさを有して形成される。蓋本体９１は、その主面部に、上記透明な合成樹脂材料よりなる覗き窓部４１が設けれている。
【００３０】
カセットホルダ９２は、テープカセット１の短辺方向の一方の側縁部を保持する第１の保持部９３と、テープカセット１の短辺方向の他方の側縁部を保持する第２の保持部９８と、第１の保持部９３と第２の保持部９８とに亘って設けられる主面部９５とから構成される。カセットホルダ９２は、長辺方向を挿入端として挿入されるテープカセット１を保持できれば十分であることから、テープカセット１の背面側半分程度を保持できる大きさに形成されている。
【００３１】
第１の保持部９３は、立上がり壁よりなる規制部９４と、回動支持部９５とを備える。規制部９４は、テープカセット１の横方向のズレを規制する。この規制部９４には、蓋体２３が開方向に回動操作された際、記録再生部５２よりテープカセット１を持ち上げるための回動支持部９５が設けられている。この回動支持部９５は、規制部９４の前面側に設けられる。回動支持部９５は、規制部９４に並んで回動自在に取り付けられる立上がり壁に垂直に設けられる支持突片９６と、この支持突片９６の反対側に設けられる弾性片９７を備える。支持突片９６は、蓋体２３が開方向に回動操作された際、テープカセット１の側縁に当接され記録再生部５２より持ち上げ支持する。弾性片９７は、やや上方向に曲折して形成され、蓋本体９１の裏面に突き当てられ、回動支持部９５を下方向に付勢している。すなわち、回動支持部９５は、蓋体２３が開方向に操作された際、テープカセット１の重さと弾性片９７の弾性力により下方向に回動され、テープカセット１の挿脱操作を容易にする。
【００３２】
第２の保持部９８は、立上がり壁よりなる規制部９９と、この規制部９９に対して垂直に設けられた支持突片１００とを備える。規制部９９は、第１の保持部９３の規制部９４と共にテープカセット１の横方向のズレを規制する。支持突片１００は、回動支持部９５と共にテープカセット１を蓋体２３が開方向に回動操作された際にテープカセット１の側縁部に当接され、テープカセット１を記録再生部５２より持ち上げる。したがって、この支持突片１００は、回動支持部９５が蓋体２３が開方向に操作され下方向に回動された際の支持突片９６の位置に対応する場所に設けられる。なお、この支持突片１００は、記録再生部５２を閉塞した状態において、メカシャーシ５１に設けられた蓋体２３が閉塞されたことを検出する検出スイッチ１０１を押圧するようにされている。
【００３３】
このようなカセットホルダ９２は、次のような回動支持機構によりメカシャーシ５１に対して回動自在に取り付けられる。すなわち、回動支持機構は、第１の保持部９３の規制部９４後方に外方に向かって設けられた凸部１０２がメカシャーシ５１の後方に設けられた支持片１０３に穿設された支持孔１０４に嵌合され、第２の保持部９８の規制部９４の後方に設けられた内方に向かって設けられた凸部１０５がメカシャーシ５１の後方に設けられた支持片１０６に穿設された支持孔１０７に嵌合されてなる。そして、凸部１０５には、ネジ孔が設けられる。カセットホルダ９２は、支持孔１０７を介してこのネジ孔にネジがネジ止めされることにより回動自在に支持される。
【００３４】
また、支持片１０３、１０６には、カセットホルダ９２の回動する領域を規制する回動領域規制ガイド孔１０８、１０９が湾曲したスリット状に形成されている。回動領域規制ガイド孔１０８、１０９には、カセットホルダ９２の第１及び第２の保持部９３、９８に設けられた係合片１１１、１１２が係合される。これにより、カセットホルダ９２は、回動する領域が規制されることになる。
【００３５】
このようなカセットホルダ９２には、蓋本体９１がネジ１１３によりネジ止めされて取り付けられる。このように、蓋体２３は、蓋本体９１がカセットホルダ９２に取り付けられ、この蓋本体９１が回動操作されることにより、カセットホルダ９２がメカシャーシ５１に対して回動し、記録再生部５２の開閉が行われる。
【００３６】
ところで、記録及び／又は再生装置２０には、以上のような蓋体２３が記録再生部５２を開放した開状態において、蓋体２３を開状態に保持する保持機構１２０が備えられる。この保持機構１２０は、図５に示すように、支持片１０３に設けられる。この保持機構１２０は、図７及び図８に示すように、支持片１０３に取り付けられる弾性部材１２１を備える。弾性部材１２１は、薄板状の金属材料よりなり、図８中矢印で示すように弾性変位可能に形成されている。そして、弾性部材１２１は、支持片１０３に１つのネジ１１９によりネジ止めされる。弾性部材１２１には、弾性力の調整を行うための抜き孔１２２が形成されると共にこの抜き孔１２２にとなり合って抜き孔により構成される長穴状のガイド孔１２３が形成されている。このガイド孔１２３の上側端部には、弾性部材１２１の主面に対して垂直方向に湾曲して押圧部１２４が形成されている。このガイド孔１２３には、カセットホルダ９２の第１の保持部９３に設けられた係合片１２５が係合される。
【００３７】
このような保持機構１２０は、蓋体２３が記録再生部５２を閉塞した状態において、係合片１２５がガイド孔１２３の最下端に位置される（図７中Ａ1に示す位置）。そして、係合片１２５は、蓋体２３が記録再生部５２を開放する方向、すなわち、図７中矢印Ｘ1方向に回動操作されると、先ず、押圧部１２４に突き当てられる（図７中Ａ2に示す位置）。さらに、係合片１２５は、蓋体２３が図７中矢印Ｘ1方向に回動操作されると、弾性部材１２１を弾性変位させ、押圧部１２４及びガイド孔１２３と弾性部材１２１の側縁の接続部１２６を乗り上げ、ガイド孔１２３の外方に位置される（図７中Ａ3に示す位置）。この際、係合片１２５は、無理にガイド孔１２３から弾性部材１２１の外方に移動されることから、利用者にクリック感を与えることができ、蓋体が記録再生部を開蓋した状態になったことをを利用者に認識させることができる。そして、蓋体２３は、図７中Ａ3に示す位置において、係合片１２５が弾性部材１２１の側縁に突き当てられ、開状態に保持される。
【００３８】
なお、蓋体２３を閉方向に回動操作する場合には、先ず、蓋体２３を閉方向に押圧することで、係合片１２５が弾性部材１２１を弾性変位させ、接続部１２６を乗り上げ、ガイド孔１２３の外方に内方に位置される（図７中Ａ2〜Ａ1に示す位置）。この際にも、利用者は、クリック感を認識することができ、蓋体２３が保持された状態が解除されたことを利用者に認識させることができる。
【００３９】
また、弾性部材１２１は、図６、図８及び図９に示すように、駆動モータ７１の位置決めを行っている。図６に示すように、駆動モータ７１は、メカシャーシ５１のコーナ部に配設され、メカシャーシ５１に駆動モータ７１用のホルダ１３１を介して取り付けられる。このホルダ１３１は、略円盤状の駆動モータ７１の受け皿となるように略浅皿状に形成されている。このホルダ１３１には、その３つのコーナ部にネジ止め部１３２、１３３、１３４が設けられている。このネジ止め部１３２、１３３には、駆動モータ７１に設けられたモータ取付け用のネジ孔が設けられた舌片１３５、１３６が配置される。そして、駆動モータ７１は、ホルダ１３１に保持されて、ネジ止めされてメカシャーシ５１に取り付けられる。この際、ホルダ１３１は、保持機構１２０が設けられる位置に対応して取り付けられており、その側縁がメカシャーシ５１より外方に臨まされている。なお、このホルダ１３１の隣には、矩形体形をした電池収納部１３９が形成されている。この電池収納部１３９に収納される電池は、装置を駆動させる電源となる。
【００４０】
このホルダ１３１は、ネジ止めしてメカシャーシ５１に取り付けられると共に、保持機構１２０を構成する弾性部材１２１によって位置決めがなされる。すなわち、弾性部材１２１には、図８及び図９に示すように、メカシャーシ５１に取り付けられた際メカシャーシ５１の下方向に向かって延設される第１の位置規制部１３７とメカシャーシ５１の前方向に向かって延設される第２の位置規制部１３８とが設けられている。
【００４１】
第１の位置規制部１３７は、階段状に形成され、メカシャーシ５１と平行となる面がホルダ１３１の駆動モータ７１が取り付けられる一方の面側の側縁部に当接される。また、第２の位置規制部１３８は、その側縁がホルダ１３１の駆動モータが取り付けられない他方の面側の側縁部に当接される。これにより、ホルダ１３１は、その側縁部が第１の位置規制部１３７と第２の位置規制部１３８とにより狭持されることになり、メカシャーシ５１に対して垂直方向のがたつきが防止されることになる。また、弾性部材１２１は、上述したとおり一つのネジ１１９により取り付けられている。したがって、弾性部材１２１は、蓋体２３の回動操作の繰り返しにより、このネジ止め部を回動支点として回動しやすい構成となっている。しかしながら、弾性部材１２１は、第１の位置規制片１３７と第２の位置規制片１３８とがホルダ１３１を狭持するように取り付けられていることから、回動することが防止される。なお、第２の位置規制片１３８は、必ずしも設ける必要はなく、第１の位置規制片１３７のみによっても、弾性部材１２１の回動を防止できると共にホルダ１３１の位置決めを行うことができる。
【００４２】
以上のような記録及び／又は再生装置２０は、上述した従来のように連結レバーを用いることがないことから、その構成が簡素化されると共にカシメ工程を行う必要がないことから、その組立作業が容易になる。また、記録及び／又は再生装置２０は、弾性部材１２１に蓋体２３の開状態に保持する保持機能と、駆動モータ７１の位置決め機能と２つの機能を持たせることができ、部品点数の削減が図られる。
【００４３】
以上、本発明に係る記録及び／又は再生装置について記録及び／又は再生装置２０を用いて詳細に説明した。しかしながら、本発明は、これに限定されるものではなく、光ディスク、光磁気ディスク等の円盤状記録媒体をカートリッジに収納するディスクカートリッジの記録及び／又は再生を行う記録及び／又は再生装置やディスク単体の記録及び／又は再生を行うディスクプレーヤ装置等の記録及び／又は再生装置に適用できるのは勿論である。
【００４４】
【発明の効果】
本発明に係る記録及び／又は再生装置は、ガイド孔が設けられると共に本体に取り付けられる弾性部材と、ガイド孔に係合されると共に蓋体側に設けられる係合片とを備える。そして、係合片は、蓋体が記録再生部を閉塞した状態において、ガイド孔に係合され、蓋体が記録再生部を開放する開方向に回動操作されると、ガイド孔の側縁に突き当てられ弾性部材を弾性変位させることで、クリック感を与えながらガイド孔の外に移動され、弾性部材の外側縁に突き当てられることで蓋体を開状態に保持する。このように、記録及び／又は再生装置は、その構成が簡素化されると共に従来のようにカシメ工程を行う必要がないことから、その組立て作業を容易にすることができると共に装置全体の小型化を図ることができる。
また、本発明に係る記録及び／又は再生装置は、弾性部材に駆動モータの取付け位置を規制する位置規制部を設けていることから、弾性部位材は、１つのネジによって本体に回動することなく固定することができる。
【図面の簡単な説明】
【図１】実施の形態で説明する記録及び／又は再生装置に用いられるテープカセットの全体斜視図である。
【図２】本体側から見た記録及び／又は再生装置の全体斜視図である。
【図３】蓋体側から見た記録及び／又は再生装置の全体斜視図である。
【図４】蓋体が記録再生部を開放した状態を示す記録及び／又は再生装置の全体斜視図である。
【図５】記録及び／又は再生装置の分解斜視図である。
【図６】メカシャーシに設けられるテープ走行機構を説明するための平面図である。
【図７】蓋体が保持機構により開状態に保持された状態を示す記録及び／又は再生装置の要部断面図である。
【図８】蓋体が記録再生部を閉塞した状態における保持機構の状態を説明するための要部断面図である。
【図９】駆動モータがメカシャーシに取り付けられている状態を示す要部斜視図である。
【図１０】従来の蓋体の保持機構を説明するための要部斜視図である。
【符号の説明】
１  テープカセット、２  カセット本体、３  磁気テープ、２０  記録及び／又は再生装置、２２  本体、２３  蓋体、２５  操作部、５１  メカシャーシ、５２  記録再生部、７０  テープ走行機構、１２０  保持機構、１２１  弾性部材、１２２  抜き孔、１２３  ガイド孔、１２４  押圧部、１２５係合片、１３１駆動モータ用ホルダ、１３７  第１の位置規制片、１３８  第２の位置規制片
【図１】
0003736009.tif 000002
【図２】
0003736009.tif 000003
【図３】
0003736009.tif 000004
【図４】
0003736009.tif 000005
【図５】
0003736009.tif 000006
【図６】
0003736009.tif 000007
【図７】
0003736009.tif 000008
【図８】
0003736009.tif 000009
【図９】
0003736009.tif 000010
【図１０】
0003736009.tif 000011